(57)【要約】【課題】  半押しと全押しとの２つの操作が可能なシャッターキーを用いることなく、被写体が所望の状態となってから被写体が撮影されるまでの時間を短縮することができる撮影制御方法及び携帯端末装置を提供する。【解決手段】  入力装置のキーが操作されると、そのキー操作の識別子が装置の画像処理部に通知され（ステップＳ１３）、その操作が所定のシャッターキーの押下である場合（ステップＳ１４の「シャッターキー押下」）、画像処理部は、撮影条件を設定する（ステップＳ１５）。続いて、所定のシャッターキーの押下の解放が画像処理部に通知された場合（ステップＳ１６、ステップＳ１７の「シャッターキー解放」）、画像処理部は、撮影をする（ステップＳ１９）。【選択図】  図４
2005311854.tif 000002
【特許請求の範囲】
【請求項１】
撮影指示キーを含む複数のキー操作部と、撮像手段と、表示手段とを備えた携帯端末装置の撮影制御方法であって、
前記撮影指示キーの押下を検出し、
前記押下を検出しているときに撮影条件を設定し、
前記撮影指示キーが解放されると、前記設定された撮影条件に従って前記撮像手段による撮影を行わせる
ことを特徴とする撮影制御方法。
【請求項２】
前記撮影条件は、前記撮像手段によって取り込まれる画像信号に依存する条件を含む
ことを特徴とする請求項１に記載の撮影制御方法。
【請求項３】
前記撮影指示キーが押下された後、前記撮影条件の設定完了の前に前記撮影指示キーの押下が解放された場合、前記撮像手段の撮影動作を停止させる
ことを特徴とする請求項１に記載の撮影制御方法。
【請求項４】
前記撮影指示キーが押下された後、該撮影指示キーの押下が解放される前に、前記撮影指示キーとは異なるキーが押下された場合、前記撮像手段の撮影動作を停止させる
ことを特徴とする請求項１に記載の撮影制御方法。
【請求項５】
前記撮影指示キーの押下が解放された後、所定の経過時間以内に前記撮影指示キーが押下された場合、前記撮影された画像信号を消去する
ことを特徴とする請求項１に記載の撮影制御方法。
【請求項６】
前記撮影条件の設定完了の後、前記撮影指示キーの押下が解放される前に、前記撮影指示キーの押下が継続されている場合、繰返して前記撮影条件を設定する
ことを特徴とする請求項２に記載の撮影制御方法。
【請求項７】
撮影指示キーを含む複数のキー操作部と、撮像手段と、表示手段とを備えた携帯端末装置において、
前記撮影指示キーの押下及び解放を検出する検出手段と、
前記検出手段による押下検出中に動作し、前記撮像手段の撮影条件を求める撮影条件設定手段と、
前記検出手段によって前記撮影指示キーが解放されたことが検出されると、前記撮影条件設定手段によって求められた撮影条件によって前記撮像手段を動作させる撮影制御手段と
を備えたことを特徴とする携帯端末装置。
【発明の詳細な説明】
【技術分野】
【０００１】
本発明は、撮影制御方法及び携帯端末装置に係り、特に所望の状態の被写体を短時間の遅れで撮影する撮影制御に関する。
【背景技術】
【０００２】
写真をデジタルデータとして撮影する方式の写真撮影装置において、シャッターキーが半押しされることによって、写真の解像度などの利用者によって選択された条件及び絞りなどの撮影装置が自動判断した条件からなる撮影条件の設定を行い、そのシャッターキーが全押しされることによって、設定された撮影条件に従って被写体を撮影する処理が行われている（例えば、特許文献１参照。）。
【０００３】
そこで、被写体に動きがある場合、利用者は、シャッターボタンを半押しにしつつ被写体の動きを観察する。そして、被写体が所望の状態となった際にシャッターボタンを全押しして被写体を撮影する。これによって、被写体が所望の状態となってから被写体が撮影されるまでの時間には撮影条件が設定されるのに必要な時間を含まないので、被写体が所望の状態となってから被写体が撮影されるまでの時間は短い。
【０００４】
一方、例えば、所定のキーの押下によって、動作モードを通信モードから写真撮影モードに変更する移動通信端末装置では、通信モードと写真撮影モードとにおいて、同一のキーを異なる目的に用いる処理が知られている。そして、通信モードにおいては通信機能の所定の制御に用いられるキーが、写真撮影モードにおいてはシャッターキーとして用いられる（例えば、特許文献２参照。）。
【特許文献１】特開２００３−２５９２０１号公報（第８頁、図８）
【特許文献２】特開２００２−１４１９７８号公報（第２頁、図３）
【発明の開示】
【発明が解決しようとする課題】
【０００５】
しかしながら、上述した特許文献１に開示されている方法では、半押しと全押しとの２つの操作が可能な特殊な専用のシャッターキーを備えることが必要である。ところが、例えば、移動通信端末装置は小型であり、かつ、通信機能の制御を行うために必要な通話相手の電話番号の入力に用いられる「１」〜「９」、及び、「０」の数字キーの他に数個の機能キーを備える必要があり、専用のシャッターキーを備えることが困難である問題点があった。
【０００６】
また、上述した特許文献２に開示されている方法では、シャッターキーの１回の押下によって、まず、上記撮影条件の設定を行い、その設定が完了した後に写真の撮影を行っている。そのため、被写体が所望の状態となってからシャッターキーを押下して被写体が撮影されるまでの時間には撮影条件が設定されるのに必要な時間を含むので、被写体が所望の状態となってから被写体が撮影されるまでの時間が長い問題点があった。
【０００７】
本発明は、上記問題点を解決するためになされたもので、半押しと全押しとの２つの操作が可能な特殊なシャッターキーを用いることなく、被写体が所望の状態となってから被写体が撮影されるまでの時間を短縮することができる撮影制御方法及び携帯端末装置を提供することを目的とする。
【課題を解決するための手段】
【０００８】
上記目的を達成するために、本発明の撮影制御方法は、撮影指示キーを含む複数のキー操作部と、撮像手段と、表示手段とを備えた携帯端末装置の撮影制御方法であって、前記撮影指示キーの押下を検出し、前記押下を検出しているときに撮影条件を設定し、前記撮影指示キーが解放されると、前記設定された撮影条件に従って前記撮像手段による撮影を行わせることを特徴とする。
【発明の効果】
【０００９】
本発明によれば、半押しと全押しとの２つの操作が可能な特殊な専用のシャッターキーを備えることなく、被写体が所望の状態となってから被写体が撮影されるまでの時間を短縮することができる。
【発明を実施するための最良の形態】
【００１０】
以下に、本発明による撮影制御方法及び携帯端末装置の実施の形態を、図面を参照して説明する。図１は、本発明の実施形態に係る撮影制御方法及び携帯端末装置が適用された折畳み型移動通信端末装置の上下筐体の折畳みを開いた時の外観を示す図である。図１（ａ）は背面図を、図１（ｂ）は側面図を、図１（ｃ）は正面図をそれぞれ示す。
【００１１】
この移動通信端末装置は、上筐体１と下筐体２とを、ヒンジ部３によって回動自在に連結してなる。
【００１２】
上筐体１の内面には、受話に用いられるスピーカ１４ａと、利用者に操作を促す表示や、利用者が指示した内容の表示や、装置の動作状態の表示などに用いられるＬＣＤ（Liquid Crystal Display）からなる正面表示部１５ａとが設置されている。また、上筐体１の外面には、装置の動作状態の表示などに用いられるＬＣＤからなる背面表示部１５ｂと、カメラ１５ｃとが設置されている。
【００１３】
また、下筐体２の内面には、送話に用いられるマイクロフォン１４ｂが設置されている。下筐体２の内面と側面には、キーパッドからなる入力装置１６が設けられている。また、下筐体２の外面には、電波の送受に用いられるアンテナ１２ａが設置されている。
【００１４】
入力装置１６は、下筐体２の内面に設置され、各機能での決定や選択を指示するために用いられるワープ中央キー１６ａと、ワープ中央キー１６ａに隣接してワープ中央キー１６ａを取り囲んで設置され、正面表示部１５ａ上の表示のスクロールなどに用いられるワープ十字キー１６ｂと、英数字や文字、記号の入力などに用いられる数字キーと、移動通信端末装置の電源の投入及び切断などの動作指示の入力に用いられる複数の機能キーと、更に、下筐体２の側面に設置された複数の側面キー１６ｃとを含んでいる。
【００１５】
更に、ヒンジ部３には、上下筐体１、２が開状態にあるか、または、閉状態にあるかを検出する開閉検出部（図示せず）が設置されて、その開閉検出部から開閉信号が出力されている。
【００１６】
図２は、この移動通信端末装置の構成を示すブロック図である。この移動通信端末装置は、開閉信号３ａが入力され、装置全体の制御を行う制御部１１と、基地局（図示せず）との間で電波の送受信を行うアンテナ１２ａと、通信部１２ｂと、送受信部１３と、スピーカ１４ａと、マイクロフォン１４ｂと、通話部１４ｃと、正面表示部１５ａと、背面表示部１５ｂと、カメラ１５ｃと、画像処理部１５ｄと、入力装置１６と、撮影条件データ記憶部２１と、画像データ記憶部２２とからなる。
【００１７】
撮影条件データ記憶部２１には、画像処理部１５ｄが写真を撮影する際の条件である撮影条件データファイル２１ａが記憶される。また、画像データ記憶部２２には画像データファイル２２ａが記憶される。なお、画像データファイル２２ａは、圧縮された画像データであっても良く、圧縮の形式は、ＪＰＥＧ（Joint Photographic Expert Group）形式や、ＧＩＦ（Graphical Interchange Format）形式等の圧縮技術が用いられる。
【００１８】
図３は、画像処理部１５ｄの構成を示すブロック図である。画像処理部１５ｄは、制御部１１及び撮影条件データ記憶部２１と接続され、画像処理部１５ｄの各部の制御を行う画像処理制御部１５ｅと、カメラ１５ｃと接続される画像入力部１５ｆと、正面表示部１５ａ、背面表示部１５ｂ及び画像入力部１５ｆと接続される画像出力部１５ｇと、画像データ記憶部２２及び画像入力部１５ｆと接続される画像編集部１５ｈとからなる。
【００１９】
上記のように構成された、本発明の実施形態に係る移動通信端末装置の各部の動作を、図２を参照して説明する。
【００２０】
まず、通信部１２ｂは、アンテナ１２ａが受信した高周波信号を送受信部１３へ出力し、また、送受信部１３から出力される高周波信号をアンテナ１２ａより送信する。
【００２１】
送受信部１３は、通信部１２ｂからの高周波信号を増幅、周波数変換及び復調し、それによって得られたデジタル音声信号を通話部１４ｃへ、また、制御信号を制御部１１に送る。更には、通話部１４ｃから出力されるデジタル音声信号、及び制御部１１から出力される制御信号を変調、周波数変換及び増幅し、高周波信号を得て、それを通信部１２ｂに送る。
【００２２】
次に、通話部１４ｃは、送受信部１３から出力されるデジタル音声信号をアナログ音声信号に変換し、それを増幅してスピーカ１４ａに送る。また、マイクロフォン１４ｂから出力されるアナログ音声信号を増幅し、それをデジタル音声信号に変換して送受信部１３に送信する。
【００２３】
次に、正面表示部１５ａの動作を説明する。正面表示部１５ａは、上下筐体１、２が開状態にある場合に、制御部１１に制御されることで、文字・数字や画像データの表示動作を行い、表示されているデータは、入力装置１６からの入力操作や着信信号に応答し、また、画像処理部１５ｄからの表示要求に従って制御部１１からの指示を受けることで切換わる。
【００２４】
次に、背面表示部１５ｂの動作を説明する。背面表示部１５ｂは、上下筐体１、２が閉状態にある場合に、制御部１１に制御されることで、文字・数字や画像データの表示動作を行い、表示されているデータは、入力装置１６からの入力操作や着信信号に応答し、また、画像処理部１５ｄからの表示要求に従って制御部１１からの指示を受けることで切換わる。
【００２５】
カメラ１５ｃは、例えばＣＣＤカメラであり、画像処理部１５ｄより起動されることにより画像入力動作を開始し、入力した画像の信号を画像処理部１５ｄに送る。
【００２６】
入力装置１６は、通信相手の電話番号を指定するための数字キーと複数の機能キーを含むキーからなり、入力装置１６のキーが操作されると、そのキー操作の識別子、即ち、そのキーの識別子とその操作の種類の識別子とが制御部１１に通知され、制御部１１によって、正面表示部１５ａまたは背面表示部１５ｂに文字や数字として表示される。
【００２７】
また、移動通信端末装置が通信モードで動作している場合、即ち、例えば、利用者が通話相手と通話中、発信中、または、着信中には、制御部１１によって、文字コード、数字コード、制御信号、または、キー操作の識別子が送受信部１３に送信される。装置が情報処理モードで動作している場合、即ち、例えば、利用者が電話帳データベース（図示せず）に記憶されるデータの作成中や検索中には、制御部１１によって、文字コード、数字コード、または、制御信号が電話帳データベース管理部（図示せず）に送信される。
【００２８】
更に、移動通信端末装置が写真撮影モードで動作している場合、即ち、例えば、利用者が写真を撮影中には、制御部１１によって、文字コード、数字コード、制御信号、または、キー操作の識別子が画像処理部１５ｄに送信される。また、利用者が撮影条件を入力中には、制御部１１によって、文字コード、数字コード、または、制御信号が撮影条件データファイル２１ａに格納される。
【００２９】
上記操作の種類は、「押下」、「押下継続」及び「解放」の３種類である。「押下」は、キーの押下が開始された操作である。また、「押下継続」は、キーの押下が継続されている操作であり、キーの押下が継続されている場合には、そのキーの識別子とその操作「押下継続」の識別子とが所定間隔をおいて繰返し制御部１１に通知される。更に、「解放」は、キーの押下が終了された操作である。
【００３０】
次に、画像処理部１５ｄの動作を図２及び図３を参照して説明する。画像処理部１５ｄは、カメラ１５ｃから出力された画像信号の写真撮影処理を行う装置であり、画像処理部１５ｄの各部の制御を行う画像処理制御部１５ｅの動作の説明を中心に、画像処理部１５ｄの動作を説明する。図４は、この画像処理制御部１５ｅの動作を示すフローチャートである。
【００３１】
画像処理制御部１５ｅは、入力装置１６の所定のキーが操作され、移動通信端末装置が写真撮影モードでの動作が指示された、即ち、画像処理の開始が指示されたことにより、制御部１１から起動されて動作を開始し（ステップＳ１１）、続いて、画像入力部１５ｆと、画像出力部１５ｇとを起動する（ステップＳ１２）。
【００３２】
画像入力部１５ｆは、カメラ１５ｃから出力された画像信号を受信して、その画像信号を画像出力部１５ｇに送信する。画像出力部１５ｇは、画像入力部１５ｆから出力された画像信号を受信を受信すると、その画像信号を正面表示部１５ａまたは背面表示部１５ｂに表示する。既に説明したように、いずれの表示部に表示されるかは、制御部１１が上下筐体１、２が開状態にあるか、閉状態にあるかによって制御する。
【００３３】
画像処理制御部１５ｅは、続いて、制御部１１から出力されたキー操作の識別子を受信する（ステップＳ１３）。そして、ステップＳ１３で受信された識別子を調べ、その識別子がシャッターキーの「押下」操作を示しているか否かを判断する（ステップＳ１４）。ここで、シャッターキーとは、上下筐体１、２が開状態にある場合、ワープ中央キー１６ａであり、一方、上下筐体１、２が閉状態にある場合、所定の側面キー１６ｃである。
【００３４】
上記識別子がシャッターキーの「押下」操作を示している場合、画像処理制御部１５ｅは、画像入力部１５ｆと、画像編集部１５ｈとに撮影条件の設定を指示する（ステップＳ１５）。
【００３５】
撮影条件は、２つの種類に分けられる。まず、第１の種類の撮影条件は、固定的に定められ、または、事前に利用者が入力装置１６の所定のキーを操作することによって決定され、そして、撮影条件データファイル２１ａに記憶された条件である。
【００３６】
この第１の種類の撮影条件には、ズーム倍率と、画像データファイル２２ａに格納される写真画像ファイルの縦横のドット数と、そのファイルの圧縮率とがある。ここで、ズーム倍率は画像入力部１５ｆに設定が指示され、写真画像ファイルの縦横のドット数と、そのファイルの圧縮率は、画像編集部１５ｈに設定が指示される。
【００３７】
なお、第１の種類の撮影条件は、上記に限るものではない。例えば、画像入力部１５ｆが送信する画像信号の解像度であって、正面表示部１５ａまたは背面表示部１５ｂに表示する際に適した荒い解像度と、画像データファイル２２ａに格納する際に適した細かい解像度とを含んでいても良い。これらの解像度は、画像入力部１５ｆに設定が指示される。
【００３８】
一方、第２の種類の撮影条件は、被写体の状態に依存して変化する条件である。この第２の種類の撮影条件には、被写体と移動通信端末装置との間の距離に依存して、被写体に焦点を合わせることと、被写体の輝度に依存して、絞り及び／またはフレームレートを決定することとがある。ここで、これらの撮影条件は、画像入力部１５ｆに実行せよとの設定が指示される。
【００３９】
なお、第２の種類の撮影条件は、上記に限るものではない。例えば、ストロボ発光装置（図示せず）を備えた移動通信端末装置において、画像入力部１５ｆが、撮影の際にストロボ発光装置を発光させるか否かを、カメラ１５ｃが送信する画像信号の輝度に応じて自動判断することを含んでも良い。そして、その自動判断を実行せよとの設定が指示されても良い。
【００４０】
また、第１の種類の撮影条件と第２の種類の撮影条件は、必ずしも排他的ではない。例えば、撮影の際にストロボ発光装置を発光させるか否かは、上記説明では第２の種類の撮影条件としたが、利用者が入力装置１６の所定のキーを操作することによって決定された撮影条件、即ち、第１の種類の撮影条件としても良い。
【００４１】
画像入力部１５ｆは、撮影条件の設定を完了すると、設定を完了した旨を画像入力部１５ｆ内の所定の記憶部に格納する。また、画像編集部１５ｈは、撮影条件の設定を完了すると、設定を完了した旨を画像編集部１５ｈ内の所定の記憶部に格納する。
【００４２】
続いて、画像処理制御部１５ｅは、制御部１１から出力されたキー操作の識別子を受信し（ステップＳ１６）、ステップＳ１６で受信された識別子を調べる（ステップＳ１７）。このステップＳ１６の動作は、ステップＳ１３の動作と同一であり、更に、ステップＳ１７の動作は、ステップＳ１４の動作と同一である。
【００４３】
ステップＳ１７で、受信した識別子がシャッターキーの「押下継続」操作を示している場合、画像処理制御部１５ｅは、ステップＳ１５に戻って、再度、撮影条件の設定を指示する。ただし、再度、撮影条件の設定を指示するにあたり、上記第１の種類の撮影条件の設定の指示は行わない。被写体の状態に依存して変化する、第２の種類の撮影条件の設定を指示する。
【００４４】
なお、ステップＳ１７で、受信した識別子がシャッターキーの「押下継続」操作を示している場合、画像処理制御部１５ｅは、上記説明したようにステップＳ１５の撮影条件設定の動作に戻ることなく、ステップＳ１６のキー操作の識別子を受信する動作に戻っても良い。
【００４５】
ここで、ステップＳ１５に戻って写真撮影の条件設定を指示する動作以降を繰返すことにより、被写体の状態の変化に応じて写真撮影の条件を適切に変化させることが可能である。例えば、被写体が移動通信端末装置に近づきつつある場合、常に適切に焦点を合わせることが可能である。一方、ステップＳ１６に戻ってキー操作の識別子を受信する動作以降を繰返すことにより、画像処理部１５ｄはステップＳ１５の撮影条件の設定動作を繰返すことがなく、電力消費量の削減が可能である。
【００４６】
ステップＳ１７で、受信した識別子がシャッターキーの「解放」操作を示している場合、画像処理制御部１５ｅは、画像入力部１５ｆ内の所定の記憶部を読み出すことによって画像入力部１５ｆは撮影条件の設定を完了しているか否か、更に、画像編集部１５ｈ内の所定の記憶部を読み出すことによって画像編集部１５ｈは撮影条件の設定を完了しているか否かを調べる（ステップＳ１８）。
【００４７】
画像入力部１５ｆと画像編集部１５ｈのいずれもが撮影条件の設定を完了している場合（ステップＳ１８の「完了」）、画像処理制御部１５ｅは、画像入力部１５ｆと画像編集部１５ｈとに写真の撮影をさせる（ステップＳ１９）。即ち、画像入力部１５ｆに、ステップＳ１５で設定させた撮影条件に従って、カメラ１５ｃから出力された画像信号を受信して、その画像信号を、画像編集部１５ｈに送信させる。
【００４８】
更に、画像処理制御部１５ｅは、画像編集部１５ｈを起動し、画像編集部１５ｈに、画像入力部１５ｆから送信された画像信号を受信して、ステップＳ１５で設定させた撮影条件に従ってその画像信号を編集させる。そして、編集された画像信号を画像データファイル２２ａに格納させる。続いて、ステップＳ１３の制御部１１から出力されたキー操作の識別子を受信する動作に戻り、次の写真の撮影動作を行う。
【００４９】
なお、ステップＳ１９で、画像編集部１５ｈによって編集された画像信号の写真としての品質が劣る場合、例えば、その画像信号の輝度が所定値以下である場合や所定値以上である場合、画像編集部１５ｈは、その編集された画像信号を画像データファイル２２ａに格納せず、廃棄しても良い。これによって、利用者が撮影を行うべくシャッターキーを押下したにも関らず撮影を中止することが、例えば、カメラ１５ｃのレンズ面をふさぐことによって、容易に行うことができる。
【００５０】
ステップＳ１８で、画像入力部１５ｆと画像編集部１５ｈの少なくともいずれかが撮影条件の設定を完了していない場合（ステップＳ１８の「未完」）、画像処理制御部１５ｅは、ステップＳ１３の制御部１１から出力されたキー操作の識別子を受信する動作に戻り、次の写真の撮影動作を行う。
【００５１】
なお、ステップＳ１８で、画像入力部１５ｆと画像編集部１５ｈの少なくともいずれかが撮影条件の設定を完了していない場合（ステップＳ１８の「未完」）、画像処理制御部１５ｅは、上記説明したようにステップＳ１３の制御部１１から出力された識別子を受信する動作に戻ることなく、ステップＳ１８の動作を繰返し行うことにより、画像入力部１５ｆと画像編集部１５ｈのいずれもが撮影条件の設定を完了することを待ってステップＳ１９に進んでも良い。
【００５２】
ここで、ステップＳ１３の制御部１１から出力された識別子を受信する動作に戻ることによって、利用者は、一旦ある被写体の写真撮影を行うべく、シャッターキーを押下した後、直ちに、即ち、画像入力部１５ｆと画像編集部１５ｈの少なくともいずれかが撮影条件の設定を完了する前に、シャッターキーを解放することによって上記被写体の写真撮影を中止し、異なる被写体の撮影を少ない操作で行わせることができる。一方、ステップＳ１８の動作を繰返し行うことによって、シャッターキーを押下してから写真が撮影されるまでの時間を最も短縮することができる。
【００５３】
なお、画像処理制御部１５ｅは、ステップＳ１５で、画像入力部１５ｆ及び画像編集部１５ｈに撮影条件の設定を指示した後、これらの両部内の所定の記憶部を監視し、これらの両部が撮影条件の設定を完了していることを検出すると、画像出力部１５ｇに指示して、正面表示部１５ａまたは背面表示部１５ｂの所定の位置に撮影条件の設定が完了したことを表す記号または文字の表示を行わせても良い。
【００５４】
ステップＳ１７で受信したキー操作の識別子が、シャッターキー以外のキーの操作を示している場合、画像処理制御部１５ｅは、画像処理部１５ｄの各部の動作を終了させ、そして、自身の動作を終了させる（ステップＳ２０）。
【００５５】
上記シャッターキー以外のキーとして、上下筐体１、２が開状態にある場合、シャッターキー（ワープ中央キー１６ａ）に隣接したワープ十字キー１６ｂが、また、上下筐体１、２が閉状態にある場合、シャッターキー（側面キー１６ｃ）に隣接したシャッターキー以外の側面キー１６ｃが、利用者に操作し易い。そこで、利用者は、シャッターキーを押下して、撮影条件の設定を行わせた後、これらのシャッターキーに隣接するキーを押下することによって、写真撮影を終了させることができる。
【００５６】
または、上記操作がシャッターキー以外の操作である場合、画像処理制御部１５ｅは、ステップＳ１３の制御部１１からキー操作の識別子を受信する動作に戻り、次の写真の撮影の動作を行っても良い。これによって、利用者は、一旦ある被写体の写真撮影を行うべく、シャッターキーを押下した後、これらのシャッターキーに隣接するキーを押下することによって、その被写体の写真撮影を中止し、異なる被写体の撮影を少ない操作で行わせることができる。
【００５７】
ステップＳ１４で、受信した識別子がシャッターキーの「押下」操作以外の操作を示している場合、画像処理制御部１５ｅは、画像処理部１５ｄの各部の動作を終了させ、そして、自身の動作を終了させる（ステップＳ２０）。
【００５８】
なお、上記の説明では、画像処理制御部１５ｅは、ステップＳ１７で受信した識別子がシャッターキーの「解放」操作を示している場合、ステップＳ１９で写真を撮影させ、それ以後に受信したキー操作の識別子は次の写真の撮影に関する操作を示すとしたが、これに限るものではない。
【００５９】
例えば、ステップＳ１７で受信した識別子がシャッターキーの「解放」操作を示していると判断された後、所定の短い時間内で制御部１１からシャッターキーの「押下」操作を示す識別子を受信した場合、画像処理制御部１５ｅは、上記シャッターキーの「押下」操作を示す識別子を受信した時にステップＳ１９で写真撮影が完了したか否かを問わず、ステップＳ１９で撮影された写真画像ファイルを画像データファイル２２ａから削除することを画像編集部１５ｈに指示しても良い。
【００６０】
または、画像処理制御部１５ｅは、ステップＳ１７で受信した識別子がシャッターキーの「解放」操作を示していると判断された後、所定の短い時間内でシャッターキーの「押下」操作を示す識別子及びシャッターキーの「解放」操作を示す識別子とを続いて受信した場合、上記説明した動作と同様に、画像編集部１５ｈに、撮影された写真画像ファイルを画像データファイル２２ａから削除することを指示しても良い。
【００６１】
これらの動作により、利用者が写真を撮影した後、直ちにその撮影され写真は保存する必要なしと判断した場合、直ちにその撮影された写真画像ファイルを画像データファイル２２ａから削除することが可能となり、画像データ記憶部２２の記憶容量を有効に用いることができる。
【００６２】
更に、上記の説明では、画像処理制御部１５ｅは、ステップＳ１３でシャッターキーの「押下」操作を示す識別子を受信し、かつ、ステップＳ１７でシャッターキーの「解放」操作を示す識別子を受信した場合、ステップＳ１９で写真の撮影を指示するとしたが、これに限るものではない。
【００６３】
利用者によって入力装置１６の所定のキーが操作されることによって、画像処理制御部１５ｅは、上記動作を変更し、ステップＳ１３でシャッターキーの「押下」操作を示す識別子を受信した場合、ステップＳ１７のシャッターキーの「解放」操作を示す識別子を受信したか否かの判断を行わずにステップＳ１９で写真の撮影を指示をする動作までを行っても良い。
【００６４】
更に、画像処理制御部１５ｅは、ステップＳ１３で所定の第１のシャッターキーの「押下」操作を示す識別子を受信した場合、ステップＳ１５の写真撮影の条件設定の指示以降の動作を行い、ステップＳ１７で所定の第２のシャッターキーの「押下」操作を示す識別子を受信した場合、ステップＳ１９で写真の撮影を指示をする動作までを行っても良い。
【００６５】
本実施形態においては、画像処理部１５ｄは、写真を撮影する装置であるとしたが、これに限るものではない。例えば、写真の連写（所定の時間間隔で連続して写真を撮影すること。）を行う装置であっても良い。また、ビデオ撮影を行う装置であっても良い。これらの場合、制御部１１から画像処理制御部１５ｅに所定のキー操作の識別子が送られることにより、画像処理部１５ｄは、写真の連写、または、ビデオ撮影を開始する。画像処理部１５ｄがビデオ撮影を行う場合、画像編集部１５ｈは、画像データファイル２２ａに例えばＭＰＥＧ（Moving Picture Experts Group）形式のデータを格納する。
【００６６】
また、以上の説明は、本発明を移動通信端末装置に適用した形態を例にとって行ったが、本発明は、ＰＤＡ（Personal Digital Assistant）や、携帯型のパソコンなどに適用することも当然に可能である。本発明は以上の構成に限定されるものではなく、種々の変形が可能である。
【図面の簡単な説明】
【００６７】
【図１】本発明の実施形態に係る移動通信端末装置の外観図。
【図２】本発明の実施形態に係る移動通信端末装置の構成を示すブロック図。
【図３】本発明の実施形態に係る画像処理部の構成を示すブロック図。
【図４】本発明の実施形態に係る画像処理制御部のフローチャート。
【符号の説明】
【００６８】
１  上筐体
２  下筐体
３  ヒンジ部
３ａ  開閉信号
１１  制御部
１５ａ  正面表示部
１５ｂ  背面表示部
１５ｃ  カメラ
１５ｄ  画像処理部
１５ｅ  画像処理制御部
１５ｆ  画像入力部
１５ｇ  画像出力部
１５ｈ  画像編集部
１６  入力装置
１６ａ  ワープ中央キー
１６ｂ  ワープ十字キー
１６ｃ  側面キー
２１  撮影条件データ記憶部
２１ａ  撮影条件データファイル
２２  画像データ記憶部
２２ａ  画像データファイル
【図１】
2005311854.tif 000003
【図２】
2005311854.tif 000004
【図３】
2005311854.tif 000005
【図４】
2005311854.tif 000006